(57)【要約】  【課題】原稿搬送後にもイオンの剥がれがなく、長時間の除菌効果が得られるイオン発生装置付き原稿自動送り装置を提供する。  【解決手段】イオン発生装置２０８付きの自動原稿送り装置１２０において、原稿搬送路ｂの原稿排出直前に原稿を通過させるための入紙側開口２０３および排紙側開口２０５が形成されたイオン付着ダクト２００が配置され、そのダクト２００の内部にイオン発生素子８５からイオンが供給され、これにより、除菌効果のあるイオンを原稿の裏表に同時に当てることができる。【選択図】  図３
2011085736.tif 000002
【特許請求の範囲】
【請求項１】
イオン発生装置付きの自動原稿送り装置において、原稿搬送路に、原稿を通過させるための入紙側開口および排紙側開口が形成された容器が配置され、その内部にイオン発生素子からイオンが供給されることを特徴とする自動原稿送り装置。
【請求項２】
前記入紙側開口および排紙側開口には、各々の開口に対して原稿の搬送をなすペーパーガイドが設けられ、該ペーパーガイドは原稿の排紙側が入紙側よりも狭く形成されたことを特徴とする請求項１に記載の自動原稿送り装置。
【請求項３】
前記ペーパーガイドの排出側は、原稿搬送方向で少なくとも所定長さを均一なガイド間隔に設定されたことを特徴とする請求項２に記載の自動原稿送り装置。
【請求項４】
前記容器に、容器内の空気を排出するための排出口が形成され、該排出口を開閉する蓋が開閉自在に設けられたことを特徴とする請求項１に記載の自動原稿送り装置。
【請求項５】
前記排出口が、容器内の空気を原稿自動送り装置の外へ排出できる箇所に形成されたことを特徴とする請求項４に記載の自動原稿送り装置。
【請求項６】
イオン発生装置を駆動制御する制御装置が設けられ、該制御装置は、原稿の搬送時のみイオンを放出するようイオン発生装置を制御することを特徴とする請求項１に記載の自動原稿送り装置。
【請求項７】
イオン発生装置の駆動制御および前記蓋を開閉制御する制御装置が設けられ、該制御装置は、原稿搬送の終了時に、蓋を開放して容器内に残った旧いイオンを含む空気を強制的に排出することを特徴とする請求項４に記載の自動原稿送り装置。
【請求項８】
イオン発生装置の駆動制御および前記蓋を開閉制御する制御装置が設けられ、該制御装置は、原稿の搬送が停止しているとき、イオン発生装置を駆動した状態で、イオンを室内側に放出するよう前記容器の蓋を開放制御することを特徴とする請求項４に記載の自動原稿送り装置。
【請求項９】
前記イオン発生装置は、正イオン及び負イオンを同時に発生することを特徴とする請求項１に記載の自動原稿送り装置。
【請求項１０】
請求項１〜請求項９のいずれかに記載のイオン発生装置付き自動原稿送り装置を備えたことを特徴とする画像形成装置。
【発明の詳細な説明】
【技術分野】
【０００１】
本発明は、イオン発生装置付き自動原稿送り装置およびそれを備えた画像形成装置に関するものである。
【背景技術】
【０００２】
この種の画像形成装置として、特許文献１には、原稿の除電のために原稿にイオンを吹き付け、原稿送り時の連れ送りを防止する技術が開示されている。この画像形成装置には、原稿の除電及び原稿への正負のイオンの付与を行うイオン発生手段と、プラテンガラスと一体に構成された用紙ガイドと、本原稿頁めくり用のめくりベルトとが設けられている。
【０００３】
そして、イオン発生手段から放出される正負のイオンを原稿に人為的に付与し、乾燥している原稿同士の摩擦帯電電荷を中和し、これにより、原稿間の密着力を低下させる手法が採用されている。
【先行技術文献】
【特許文献】
【０００４】
【特許文献１】特開平10-109775号公報
【発明の概要】
【発明が解決しようとする課題】
【０００５】
しかし、特許文献１におけるイオン発生装置では、原稿送り時の連れ送りを防止するためにイオンを活用しているに過ぎない。そのため、その後の原稿搬送中にイオンが剥がれてしまい、原稿の排紙側ではすでに除菌効果が薄くなるか、無くなってしまうおそれがあった。そのため、特許文献１は、除菌効果を発揮するイオンを原稿に供給する技術としては不完全であった。
【０００６】
本発明は、上記に鑑み、原稿搬送後にもイオンの剥がれがなく、長時間の除菌効果が得られるイオン発生装置付き原稿自動送り装置およびそれを備えた画像形成装置の提供を目的とする。
【課題を解決するための手段】
【０００７】
上記目的を達成するため、本発明は、イオン発生装置を有する自動原稿送り装置において、原稿搬送路に原稿が通過できるだけの開口を有する容器が配置され、その内部にイオン発生素子からイオンが供給されることを特徴とする。
【０００８】
上記構成によると、除菌効果のあるイオンを容器内に充満させ、その容器に原稿を通過させることにより、原稿の裏表を同時に除菌効果のあるイオンを当てることができる。
【０００９】
この場合、容器の入紙側と排紙側に設けられた原稿が通過できるだけの開口には、各々の開口に対して原稿の搬送をなすペーパーガイドが設けられ、このペーパーガイドは、その原稿の排紙側が入紙側よりも狭くなっている。
【００１０】
このように、容器の原稿通過用の開口に設けられたペーパーガイドの形状を、原稿が入る入紙側よりも原稿を排紙する排紙側を狭くすることにより、容器の排紙側と外気との交流を避けるようにすると共に、排紙側に原稿が搬送されるときに、排紙側の空気が圧縮され、原稿に除菌効果のあるイオンが圧着されることになり、除菌効果を高くすることができる。
【００１１】
この場合、開口に設けたペーパーガイドの排紙側は、排紙方向で所定長さを均一なガイド間隔とする。そうすると、ペーパーガイドの排紙側は入紙側よりも狭くなっており、かつ排紙方向で所定長さを均一なガイド間隔にしているので、所定長さのガイド間隔により、容器の開口と外気との交流をさらに避けることができ、また、排紙側に原稿が搬送されるとき、排紙側の空気が圧縮され、除菌効果のあるイオンが原稿に圧着されやすくなり、除菌効果をさらに高くすることができる。
【００１２】
容器には、容器内の空気を排出するための排出口を開閉する蓋を設けることができる。この蓋を開放して容器内の空気を排出することにより、除菌効果が薄くなった旧いイオンと除菌効果のある新鮮なイオンの交換をスムーズに行うことができる。
【００１３】
この場合、排出口は、容器内の空気を原稿自動送り装置の外へ排出できる箇所に形成する。そうすると、原稿自動送り装置にて原稿の読み取り動作を行っていない場合、除菌効果のあるイオンを外気中に排出することができ、利用者が居る室内を除菌することができる。
【００１４】
排出するイオンは、正イオン及び負イオンを同時に発生して放出する。これにより、除菌効果を発揮することができる。
【００１５】
なお、イオン発生装置付き自動原稿送り装置は、画像形成装置に付属させることもできる。
【発明の効果】
【００１６】
本発明によると、除菌効果のあるイオンを容器内に充満させ、その容器に原稿を通過させることにより、除菌効果のあるイオンを原稿の表裏に同時に当てることができ、その後のイオンの剥がれを抑え、長時間の除菌効果を得ることができる。
【図面の簡単な説明】
【００１７】
【図１】本発明の画像形成装置の構成例を示す図である。
【図２】自動原稿送り装置の拡大図である。
【図３】イオン付着ダクトの斜視図である。
【図４】図３において一点鎖線aで切断した状態を示す側面図である。
【図５】自動原稿送り装置の斜視図である。
【図６】イオン発生素子を示す平面図である。
【図７】自動原稿送り装置におけるイオン発生装置の制御フローチャートである。
【発明を実施するための形態】
【００１８】
本発明の実施の形態を図面に基づいて説明する。画像形成装置１００は、図１に示すように、外部から伝達された画像データに応じて、所定のシート（記録用紙）に対して多色及び単色の画像を形成するもので、装置本体１１０と、自動原稿送り装置１２０とにより構成されている。
【００１９】
装置本体１１０は、露光ユニット１、現像器２、感光体ドラム３、クリーナユニット４、帯電器５、中間転写ベルトユニット６、定着ユニット７、給紙カセット８１、排紙トレイ９１等を有して構成されている。
【００２０】
装置本体１１０の上部には、画像読取装置に該当するものがあり、原稿が載置される透明ガラスからなる原稿載置台９２が設けられ、原稿載置台９２の上側には自動原稿送り装置１２０が取り付けられている。
【００２１】
自動原稿送り装置１２０は、原稿載置台９２の上に自動で原稿を搬送するもので、以下に示す構造はイオン発生装置を除き周知構造であるので、その構成を簡単に説明する。自動原稿送り装置１２０は、原稿載置台９２上に開閉自在に設けられた原稿載置台カバー１２１と、原稿載置台カバー１２１の上方位置に形成され、原稿を載置する原稿載置トレイ１２２と、原稿載置台カバー１２１の上面で載置トレイ１２２の下方に形成された原稿排紙トレイ１２３と、原稿を原稿載置トレイ１２２から原稿載置台９２上に配設された光学系の原稿読取部９３を通って原稿排紙トレイ１２３に導くよう、原稿載置台カバー１２１に略横Ｕ字状に形成された原稿搬送路１２４とを備えている。
【００２２】
原稿搬送路１２４には、図２に示すように、原稿搬送上流側から下流側にかけてピックアップローラ１２５、レジストローラ１２６、搬送ローラ１２６ａ、排紙ローラ１２７が順次配列されている。
【００２３】
原稿搬送路１２４では、排紙ローラ１２７の上流側より分岐してレジストローラ１２６の上流側に戻る反転路１２８が形成され、排紙ローラ１２７を通過した原稿を反転路１２８に導くことにより裏面原稿を読み取ることができるようになっている。
【００２４】
原稿排紙トレイ１２３と原稿載置トレイ１２２との中間には中間トレイ１２９が設けられ、裏面原稿を読み取るときに排紙ローラ１２７から排出された原稿を一旦受けて待機できるようになっている。排紙ローラ１２７と中間トレイ１２９との間には、排紙ローラ１２７から排紙された原稿を中間トレイ１２９側と原稿排紙トレイ１２３側のいずれかに導くように切換える切換えレバー１３０が形成されている。切換えレバー１３０よりも原稿搬送方向で下流側には原稿にイオンを付着させて殺菌するイオン発生装置２０８が設けられている。
【００２５】
また、自動原稿送り装置１２０は、矢印Ｍ方向に回動自在に構成され、原稿載置台９２の上を開放することにより原稿を手置きで置くことができるようになっている。
【００２６】
本画像形成装置において扱われる画像データは、ブラック（Ｋ）、シアン（Ｃ）、マゼンタ（Ｍ）、イエロー（Ｙ）の各色を用いたカラー画像に応じたものである。従って、現像器２、感光体ドラム３、帯電器５、クリーナユニット４は、各色に応じた４種類の潜像を形成するようにそれぞれ４個ずつ設けられ、それぞれブラック、シアン、マゼンタ、イエローに設定され、これらによって４つの画像ステーションが構成されている。
【００２７】
帯電器５は、感光体ドラム３の表面を所定の電位に均一に帯電させるための帯電手段であり、図１に示すようなチャージャ型の他、接触型のローラ型やブラシ型の帯電器が用いられることもある。
【００２８】
露光ユニット１は、レーザ出射部及び反射ミラー等を備えたレーザスキャニングユニット（ＬＳＵ）として構成される。露光ユニット１は、レーザビームを走査するポリゴンミラーと、ポリゴンミラーによって反射されたレーザ光を感光体ドラム３に導くためのレンズやミラー等の光学要素が配置されている。
【００２９】
露光ユニット１は、この他に、発光素子をアレイ状に並べた、例えばＥＬやＬＥＤ書込みヘッドを用いる手法も採用することができる。
【００３０】
露光ユニット１は、帯電された感光体ドラム３を入力された画像データに応じて露光することにより、その表面に、画像データに応じた静電潜像を形成する機能を有する。現像器２はそれぞれの感光体ドラム３上に形成された静電潜像を４色（ＹＭＣＫ）のトナーにより顕像化するものである。またクリーナユニット４は、現像・画像転写後における感光体ドラム３上の表面に残留したトナーを、除去・回収する。
【００３１】
感光体ドラム３の上方に配置されている中間転写ベルトユニット６は、中間転写ベルト６１、中間転写ベルト駆動ローラ６２、中間転写ベルト従動ローラ６３、中間転写ローラ６４、及び中間転写ベルトクリーニングユニット６５を備えている。上記中間転写ローラ６４は、ＹＭＣＫ用の各色に対応して４本設けられている。
【００３２】
中間転写ベルト駆動ローラ６２、中間転写ベルト従動ローラ６３、及び中間転写ローラ６４は、中間転写ベルト６１を張架して回転駆動させる。また各中間転写ローラ６４は、感光体ドラム３のトナー像を、中間転写ベルト６１上に転写するための転写バイアスを与える。
【００３３】
中間転写ベルト６１は、各感光体ドラム３に接触するように設けられている、そして、感光体ドラム３に形成された各色のトナー像を中間転写ベルト６１に順次的に重ねて転写することによって、中間転写ベルト６１上にカラーのトナー像（多色トナー像）を形成する機能を有している。中間転写ベルト６１は、例えば厚さ１００μｍ〜１５０μｍ程度のフィルムを用いて無端状に形成されている。
【００３４】
感光体ドラム３から中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。中間転写ローラ６４は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト６１に対して均一に高電圧を印加することができる。本例では転写電極としてローラ形状を使用しているが、それ以外にブラシなども用いることが可能である。
【００３５】
上述のように、各感光体ドラム３上で各色相に応じて顕像化された静電像は中間転写ベルト６１で積層される。積層された画像情報は中間転写ベルト６１の回転によって、後述の用紙と中間転写ベルト６１の接触位置に配置される転写ローラ１０によって用紙上に転写される。
【００３６】
このとき、中間転写ベルト６１と転写ローラ１０は所定ニップで圧接されると共に、転写ローラ１０にはトナーを用紙に転写させるための電圧が印加される（トナーの帯電極性（−）とは逆極性（＋）の高電圧）。さらに、転写ローラ１０は上記ニップを定常的に得るために、転写ローラ１０もしくは前記中間転写ベルト駆動ローラ６２の何れか一方を硬質材料（金属等）とし、他方を弾性ローラ等の軟質材料（弾性ゴムローラ、または発泡性樹脂ローラ等々）が用いられる。
【００３７】
また、上記のように、感光体ドラム３に接触することにより中間転写ベルト６１に付着したトナー、もしくは転写ローラ１０によって用紙上に転写が行われず中間転写ベルト６１上に残存したトナーは、次工程でトナーの混色を発生させる原因となるために、中間転写ベルトクリーニングユニット６５によって除去・回収されるように設定されている。中間転写ベルトクリーニングユニット６５には、中間転写ベルト６１に接触する例えばクリーニング部材としてクリーニングブレードが備えられており、クリーニングブレードが接触する中間転写ベルト６１は、裏側から中間転写ベルト従動ローラ６３で支持されている。
【００３８】
給紙カセット８１は、画像形成に使用するシート（記録用紙）を蓄積しておくためのトレイであり、装置本体１１０の露光ユニット１の下側に設けられている。また手差し給紙カセット８２にも画像形成に使用するシートを置くことができる。また、装置本体１１０の上方に設けられている排紙トレイ９１は、印刷済みのシートをフェイスダウンで集積するためのトレイである。
【００３９】
また、装置本体１１０には、給紙カセット８１及び手差し給紙カセット８２のシートを転写ローラ１０や定着ユニット７を経由させて排紙トレイ９１に送るための、略垂直形状の用紙搬送路Ｓが設けられている。給紙カセット８１ないし手差し給紙カセット８２から排紙トレイ９１までの用紙搬送路Ｓの近傍には、ピックアップローラ１１ａ，１１ｂ、複数の搬送ローラ１２ａ〜１２ｄ，レジストローラ１３、転写ローラ１０、定着ユニット７等が配されている。
【００４０】
搬送ローラ１２ａ〜１２ｄは、シートの搬送を促進・補助するための小型のローラであり、用紙搬送路Sに沿って複数設けられている。また、ピックアップローラ１１aは、給紙カセット８１の端部近傍に備えられ、給紙カセット８１からシートを１枚ずつピックアップして用紙搬送路Ｓに供給する。同様にまたピックアップローラ１１ｂは、手差し給紙カセット８２の端部近傍に備えられ、手差し給紙カセット８２からシートを１枚ずつピックアップして用紙搬送路Ｓに供給する。
【００４１】
自動原稿送り装置１２０には、読み取り後の原稿を除菌するため原稿にイオンを付着させるイオン発生装置２０８が設けられている。このイオン発生装置２０８は、原稿の通過を許容しイオン放出空間を形成する、容器としてのイオン付着ダクト２００と、イオン付着ダクトにイオンを放出するイオン発生素子８５と、イオン発生素子から発生したイオンを送風して原稿に付着させるための送風機２１３とを備えている。
【００４２】
イオン付着ダクト２００は、図３に示すように、原稿搬送路１２４において原稿排紙トレイ１２３への排紙直前位置に設けられている。イオン付着ダクト２００は、筒状に形成され、その筒中心軸が原稿搬送方向ｂ（図３参照）と直交する方向に配置されている。イオン付着ダクト２００のうち、原稿搬送方向で上流側の壁面には、原稿を通過させるためのスリット状の入紙側開口２０３が形成され、また、原稿搬送方向で下流側の壁面には、原稿を排出するためのスリット状の排紙側開口２０５が形成されている。
【００４３】
入紙側開口２０３および排紙側開口２０５には、各々の開口に対して原稿の搬送をなすペーパーガイド２０２，２０４が形成されている。入紙側ガイド２０２および排紙側ガイド２０４は、両方共に原稿の排紙側が入紙側よりも狭く形成されている。
【００４４】
また、入紙側ガイド２０２は、イオン付着ダクト２００の壁面の外側に付設される。入紙側ガイド２０２は、その排出側の上下ガイド間隔が搬送方向で所定長さを均一にした排気抑制部２１０が設けられ、イオン付着ダクト２００内に充満したイオンを外部に逃さないようにしている。ここで、排気抑制部２１０における搬送方向の所定長さとは、ダクト２００内に充満したイオンが外部に逃げない程度のガイド長さをいう。
【００４５】
また、排紙側ガイド２０４はイオン付着ダクト２００の内部に付設される。この排紙側ガイド２０４でも、原稿２０１の排出側を入紙側より狭くすることにより、イオン付着ダクト２００内のイオンが排出側開口から外部に逃げないようにしている。
【００４６】
排紙側ガイド２０４には、その排出側の上下ガイド間隔が搬送方向で所定長さを均一にしたイオン圧着部２１１が設けられる。このイオン圧着部２１１では、原稿２０１がイオン圧着部２１１を通過するときに、イオン付着ダクト２００内に充満したイオンを含む空気が原稿２０１に圧縮されて付き、通常の搬送時よりも多く、かつ強力にイオンが原稿２０１に付くようになる。ここで、排紙ガイド２０４における搬送方向の所定長さとは、原稿がイオン圧着部２１１を通過するときに、イオン付着ダクト２００内に充満した空気中のイオンが圧縮されて原稿に付着しやすくすることができるガイド長さをいう。
【００４７】
なお、入紙側ガイド２０２および排紙側ガイド２０４は、共に原稿の入紙側がラッパ状に拡大形成され、送られてきた原稿２０１が多少の上下・斜めで搬送されてきても確実に排紙側に排出できるようにしている。
【００４８】
イオン付着ダクト２００の一端側には、ダクト２００内の空気を外部へ放出するためのイオン排出口２０６が形成され、この排出口２０６を開閉自在に閉じるイオン排出口蓋２０７が設けられている。蓋２０７はモータあるいはソレノイド等の駆動部により開閉駆動される。
【００４９】
イオン付着ダクト２００の他端側には送風機２１３から送られた空気をダクト内に送り込むための送風パイプ２０９が設けられている。送風機２１３により送られた空気は、送風パイプ２０９の中を矢印ｅ方向（図３参照）に進み、イオン付着ダクト２００内に充満する。
【００５０】
イオン付着ダクト２００内に充満した空気は、イオン排出口２０６に設けたイオン排出口蓋２０７を図３の矢印ｃ方向に開くことにより排出される。イオン付着ダクト２００内に空気を充満させる場合は、イオン排出口蓋２０７を図３の矢印ｄ方向に開くことにより、イオン付着ダクト２００からの空気の排出を抑制する。
【００５１】
イオン排出口２０６とイオン排出口蓋２０７は、図５に示すように、イオン付着ダクト２００内に充満した空気を自動原稿送り装置１２０の外部へ排出できるように、自動原稿送り装置１２０の原稿台カバー１２１の壁面に設置されている。壁面は自動原稿送り装置１２０の前側、後側さらには左右側部のいずれであってもよい。
【００５２】
イオン発生素子８５は、図４に示すように、合計４個のイオン発生素子が使用され、イオン付着ダクト２００の上下両側で筒中心軸方向に２列に配置されている。図６は、２個のイオン発生素子８５をダクト２００の筒中心軸方向に配列した例を示す。各イオン発生素子８５は、図４に示すように、原稿搬送路ｂの上下両側に配置されて原稿の表裏にイオンを放出付着することができるようになっている。また、イオン発生素子８５は、通過する原稿の全面にイオンを付着することができるように、ダクト２００の筒中心軸方向に２列に配置されている。
【００５３】
各イオン発生素子８５は、図６に示すように、正イオンを発生する一対の正イオン発生部８５ａと、負イオンを発生する一対の負イオン発生部８５ｂとが間隔をおいて配列されている。本例では、各イオン発生部８５ａ、８５ｂにおいて、中央に位置する針状の放電電極の周囲にリング状誘電電極が配置されている。
【００５４】
イオン発生素子８５は、絶縁体を挟んで対向する放電電極と誘導電極間に交流電圧を印加することにより、大気中で放電等の電離現象が起こり、イオンが発生するようになっている。イオン発生素子に印加する交流電圧を制御することにより、各イオン発生部８５ａ、８５ｂにおける正イオンと負イオンの発生比率を制御することができる。
【００５５】
このとき、発生する正イオンとしては、Ｈ+（Ｈ2Ｏ）n、負イオンとしてはＯ2-（Ｈ2Ｏ）nが最も安定に生成する。これらのイオンが同時に発生すると、化学反応によって活性種である過酸化水素Ｈ2Ｏ2又は水酸化ラジカル・ＯＨが生成する。このＨ2Ｏ2又は・ＯＨは極めて強力な活性を示すため、これらを空気中に送出することで、空気中の浮遊細菌を除去できる。このようなイオン発生素子８５は、本出願人が先に出願した特開２００２−５８７３１号に詳しく開示されている。
【００５６】
なお、イオン発生素子８５の配置例を図４において模式的に示したが、配置はイオン付着ダクト２００における原稿搬送路ｂの上下両側に限らず、例えば、送風パイプ側に配置してイオン付着ダクト２００にイオンを含んだ空気を送る構成とすることもできる。この場合でも、イオン付着ダクト２００にイオンを含んだ空間が充満するため、原稿搬送路ｂを通過する原稿の表裏両面にイオンを付着させることができる。
【００５７】
イオン発生素子８５および送風機２１３の駆動制御並びにイオン排出口蓋２０７の開閉制御を行う制御装置２２０が設けられている。この制御装置２２０は、ＣＰＵ、ＲＯＭ、ＲＡＭを備えたマイコンから構成される。
【００５８】
制御例としては、原稿の搬送時のみイオン付着ダクト２００にイオンを放出するようイオン発生素子８５を制御する。その場合の原稿の搬送検知は、自動原稿送り装置の操作部２２１から入力された指示信号により行う。
【００５９】
また、原稿搬送の終了時に、制御装置２２０は、蓋２０７を開放してダクト内に残った旧いイオンを強制的に排出し、ダクト内環境を改善する。
【００６０】
また、原稿の搬送が停止している場合、制御装置２２０は、イオン発生素子８５および送風機２１３の駆動を停止するか、あるいは、イオン発生素子８５および送風機２１３を駆動した状態で、イオンを室内側に放出するようイオン付着ダクト２００の排出口蓋２０７を開放する排気モードを実行可能とされる。排出口蓋２０７を開放してダクト２００からイオンが室内に放出されると、室内の除菌が行われることになる。
【００６１】
次に、自動原稿送り装置の制御動作を図７の制御フローチャートに基づいて説明する。まず、原稿の読み込み動作時に読み込み要求があれば（Ｆ１；Ｙｅｓ）、読み込み時の動作フロー（Ｆ２〜Ｆ８）に移行する。読み込み要求がなければ（Ｆ１；Ｎｏ）、待機時の動作フロー（Ｆ９〜Ｆ１７）に移行する。
【００６２】
原稿の読み込み時（Ｆ１；Ｙｅｓ）にはイオン排出口蓋の状態を確認する（Ｆ２）。蓋が開いていれば蓋を閉じ（Ｆ３）、イオン発生装置を稼働させる（Ｆ４）。蓋が開いていなければ（Ｆ２；Ｎｏ）、フローＦ４にジャンプしてイオン発生装置を稼働させ（Ｆ４）、イオン付着ダクト内にイオンを充満できるようにする。これにより、イオン付着ダクト内に搬送されてきた原稿にイオンを付着させることができる。排出するイオンは、正イオン及び負イオンを同時に発生して放出し、除菌効果を発揮することができる。
【００６３】
そして、読み込み状態を再確認し（Ｆ５）、読み込みが終了していたならば（Ｆ５；Ｙｅｓ）、イオン排出口蓋を開け（Ｆ６）、容器内に残る旧くなったイオンを排出する。読み込みが終了していない場合（Ｆ５；Ｎｏ）、読み込みが終了するまで読み込み状態を再度確認する（Ｆ５）。
【００６４】
読み込み終了後（Ｆ５；Ｙｅｓ）、イオン排出口蓋を開け（Ｆ６）、イオン付着ダクト内の旧くなったイオンを排気する。その後、排気に必要な時間を待ち（Ｆ７）、所定時間が経過すれば（Ｆ７；Ｙｅｓ）、終了する。また、排気に必要な所定時間が経過するまで、次の読み込みがあるか否かを確認する（Ｆ８）。
【００６５】
次の読み込み要求がある場合（Ｆ８；Ｙｅｓ）、Ｆ３に戻ってイオン排出口蓋を閉じ、イオン発生装置を稼働させる動作（Ｆ４）を繰り返す。次の読み込み要求がない場合（Ｆ８；Ｎｏ）、Ｆ７に戻って排気に必要な時間を待つ。
【００６６】
なお、今回の制御フローでは、排気時間待ち中に次の読み込み要求を確認しているが、強制的に排気に必要な所定時間を待ち、読み込みを保留するようにしてもよい。
【００６７】
次に、待機時の動作を説明すると、Ｆ１において読み込み要求がない場合（Ｆ１；Ｎｏ）、待機時であるので、排気モードか否かを確認する（Ｆ９）。排気モードであれば（Ｆ９；Ｙｅｓ）、Ｆ１０からＦ１３の排気モードルーチンを実行する。すなわち、排気モードであれば（Ｆ９；Ｙｅｓ）、イオン排出口蓋の状態を確認する（Ｆ１０）。排出口蓋が開いていなければ（Ｆ１０；Ｎｏ）、排出口蓋を開けた後（Ｆ１１）、イオン発生装置が稼働しているか確認する。また、排出口蓋が開いていれば（Ｆ１０；Ｙｅｓ）、次に、イオン発生装置が稼働しているか否かを確認する（Ｆ１２）。イオン発生装置が稼働していなければ（Ｆ１２；Ｎｏ）、イオン発生装置を稼働させ（Ｆ１３）、再びＦ８に戻って排気モードか否かを確認する。
【００６８】
読み込み要求がなく、かつ排気モードでない場合（Ｆ９；Ｎｏ）、排気モードの終了を意味しているので、Ｆ１４からＦ１７の排気モード終了ルーチンを実行する。すなわち、イオン排出口蓋が開いているか確認し（Ｆ１４）、蓋が開いている場合（Ｆ１４；Ｙｅｓ）、蓋を閉じた後（Ｆ１５）、イオン発生装置が稼働しているか確認する（Ｆ１６）。また、蓋が閉じている場合（Ｆ１４；Ｎｏ）、次にイオン発生装置が稼働しているか否かを確認する（Ｆ１６）。
【００６９】
イオン発生装置が稼働している場合（Ｆ１６；Ｙｅｓ）、イオン発生装置を停止させる（Ｆ１７）。イオン発生装置が停止しているとき（Ｆ１６；Ｎｏ）、Ｆ９に戻って排気モードか否かを確認する（Ｆ９）。
【００７０】
このように、本例では、原稿搬送路に原稿が通過できるだけの開口を有するイオン付着ダクト２００が配置され、その内部にイオン発生素子２０８からイオンが供給されるので、除菌効果のあるイオンをダクト２００内に充満させ、そのダクト２００に原稿を通過させることにより、原稿の裏表に同時にイオンを当てることができ、原稿全面に効率よくイオンを付着させることができる。
【００７１】
この場合、イオン付着ダクト２００の入紙側と排紙側に設けられた、原稿が通過できるだけの開口には、各々の開口に対して原稿の搬送をなす入紙側ガイド２０２および排紙側ガイド２０４が設けられ、これらのペーパーガイド２０２，２０４は、その原稿の排紙側が入紙側よりも狭くなっている。そのため、各ガイド２０２、２０４では、イオン付着ダクト２００の内部と外気との交流を避けることができる。
【００７２】
また、各ガイド２０２，２０４では、その原稿の排紙側が入紙側よりも狭くなっているため、特に、排紙側ガイド２０４では、排紙側に原稿が搬送されるときに、排紙側の空気が圧縮され、原稿に除菌効果のあるイオンが圧着されることになり、除菌効果を高くすることができる。
【００７３】
さらに、ガイド２０２，２０４は、排紙方向で所定長さを均一なガイド間隔にしているので、所定長さのガイド間隔により、ダクト２００の開口と外気との交流をさらに避けることができ、また、排紙側に原稿が搬送されるとき、排紙側の空気が圧縮され、除菌効果のあるイオンが原稿に圧着されやすくなり、除菌効果をさらに高くすることができる。
【００７４】
また、イオン排出口２０６は、ダクト２００内の空気を原稿自動送り装置の外へ排出できる箇所に形成しているので、原稿自動送り装置が原稿の読み取り動作を行っていない場合、除菌効果のあるイオンを外気中に排出することができ、利用者が居る室内を除菌することができる。
【００７５】
なお、上記実施形態では、イオン発生装置付き自動原稿送り装置を備えた画像形成装置について説明したが、イオン発生装置付き自動原稿送り装置単独であっても本発明を適用することができる。
【符号の説明】
【００７６】
１    露光ユニット
２    現像器
３    感光体ドラム
４    クリーナユニット
５    帯電器
６    中間転写ベルトユニット
７    定着ユニット
１１ａ、１１ｂ    ピックアップローラ
１２ａ〜１２ｄ    搬送ローラ
１３    レジストローラ
１０    転写ローラ
６１    中間転写ベルト
６２    中間転写ベルト駆動ローラ
６３    中間転写ベルト従動ローラ
６４    中間転写ローラ
６５    中間転写ベルトクリーニングユニット
８１    給紙カセット
８２    手差し給紙カセット
８５    イオン発生素子
８５ａ    正イオン発生部
８５ｂ    負イオン発生部
９１    排紙トレイ
９２    原稿載置台
１００  画像形成装置
１１０  装置本体
１２０  自動原稿送り装置
２００    イオン付着ダクト
２０１    原稿
２０２    入紙ガイド
２０３    入紙口
２０４    排紙ガイド
２０５    排紙口
２０６    イオン排出口
２０７    排出口蓋
２０８    イオン発生装置
２０９    イオン吸気パイプ
２１０    排気抑制部
２１１    イオン圧着部
２１３    送風機
２２０    制御装置
【図１】
2011085736.tif 000003
【図２】
2011085736.tif 000004
【図３】
2011085736.tif 000005
【図４】
2011085736.tif 000006
【図５】
2011085736.tif 000007
【図６】
2011085736.tif 000008
【図７】
2011085736.tif 000009